(57)【要約】【課題】早期にポジショニングの適否を確認して効率よく患者の撮影を行うことのできる読取装置及び診断システムを提供する。【解決手段】患者に対して放射線画像撮影を行うことにより放射線画像情報が記録された輝尽性蛍光体プレートから放射線画像情報を読み取って撮影画像を生成する読取装置２３であって、輝尽性蛍光体プレートに記録された患者の放射線画像情報を読み取り撮影画像データを生成する画像生成部２３４と、画像生成部２３４により生成された撮影画像データに基づき縮小画像データを生成するＣＰＵ２３１と、ＣＰＵ２３１により生成された縮小画像データに基づいて縮小画像を表示する操作表示部２３５と、を備える。【選択図】図１
2007281787.tif 000002
【特許請求の範囲】
【請求項１】
患者に対して放射線画像撮影を行うことにより放射線画像情報が記録された輝尽性蛍光体プレートから前記放射線画像情報を読み取って撮影画像データを生成する読取装置であって、
前記輝尽性蛍光体プレートに記録された前記患者の前記放射線画像情報を読み取り撮影画像データを生成する画像生成手段と、
前記画像生成手段により生成された前記撮影画像データに基づき縮小画像データを生成する縮小画像生成手段と、
前記縮小画像生成手段により生成された縮小画像データに基づき縮小画像を表示する表示手段と、を備えることを特徴とする読取装置。
【請求項２】
表示手段を有し放射線画像情報を読み取って撮影画像データを生成する請求項１に記載の読取装置と、制御装置とを備える診断システムであって、
前記読取装置は、
前記撮影画像データを前記制御装置に対して送信する送信指示を入力する送信指示入力手段と、
前記送信指示入力手段からの送信指示に従って前記撮影画像データを前記制御装置に対して送信する送信手段と、を備え、
前記制御装置は、
前記送信手段によって送信された前記撮影画像データを受信する受信手段と、
前記受信手段により受信した前記撮影画像データと当該撮影画像データに対応する前記患者に関する患者情報とを対応付ける対応付け手段と、を備えることを特徴とする診断システム。
【請求項３】
前記読取装置の前記表示手段には、タッチパネルが重畳され、
前記送信指示入力手段は、前記表示手段及び前記タッチパネルにより構成されることを特徴とする請求項２に記載の診断システム。
【発明の詳細な説明】
【技術分野】
【０００１】
本発明は、読取装置及び診断システムに関するものである。
【背景技術】
【０００２】
従来から、来院した患者を、ＣＲ装置やＦＰＤ装置等の画像生成装置を用いて、技師が検査対象である患者を撮影し、得られた画像が診断に提供可能となるよう階調処理等の画像処理を加え、画像処理済の画像を出力し、医師による読影に提供する診断システムが知られている。
【０００３】
このような大規模診断システムは、来院した患者を受け付け、検査オーダを発行する担当（受付）、実際に患者を撮影室で撮影しデジタル画像を生成する担当（技師）、階調性等の得られた画像の診断提供の可否を判断し、場合によってはコントラストや濃度を修正する担当（一般の技師の中かから任命された技師等）、画像に基づき疾病の有無を判断（診断）する読影担当（医師）等、複数の担当者が役割分担を行い、診断が進められる。
【０００４】
そして、従来想定されていたような大規模な施設では、画像生成装置もこれを操作する技師等も複数存在し、画像生成装置を操作するコンソールや医師等が画像データを確認するビューワ等もそれぞれ役割を分担して別個に設けられている。このため、患者と画像データとの取り違え等が生じるおそれがある。そこで、これを防止するために、各装置をネットワークを介して連携させ、各装置においてＩＤを発行し、各装置で行われた作業工程の結果をそれぞれ関連付けるシステムが提案されている（例えば、特許文献１参照）。
【０００５】
このようなシステムにおいては、上記の各役割を担当する場所は、受付は１Ｆ、放射線科は地下等、広い病院内で離れた場所にあることが多く、かつ、放射線科内で、複数の患者を、複数の技師が、複数の撮影装置を使用して、同時に撮影を実行する場面が定常的であり、複数の患者が常時各工程に滞留しており、生成された画像と個々の患者との対応付けを間違うことが無いよう、各工程での作業毎にＩＤを付し、ＨＩＳ（Hospital Information System；病院情報システム）やＲＩＳ（Radiology Information System；放射線情報科情報システム）のネットワークを介して対応付けることが行われる（例えば、特許文献２及び特許文献３参照）。
【０００６】
このような大規模施設におけるシステムでは、放射線科の技師は、自分の身近にあるコンソールを用い、これから撮影する患者の検査ＩＤ及び当該撮影に使用するＣＲプレートのＩＤ（カセッテＩＤ）を登録する。その後技師は、カセッテＩＤの登録されたカセッテを用いて患者の撮影を行い、撮影済みカセッテを読取装置で読み取る。読取装置は、挿入されたカセッテに貼付されたカセッテＩＤを読み取り、画像データに付帯させて当該カセッテＩＤを送信し、最終的に検査ＩＤ（患者ＩＤ）と生成される画像データの対応が付けられる。生成された画像データは、技師が前記検査ＩＤを選択したコンソールに送信され、コンソールに表示される。この段階で、撮影ポジショニングの確認を行い、ポジショニング不良の場合は再撮影を行い、濃度やコントラストの修正や周波数強調処理を適用するか否か等も判断する。その後、当該画像を読影待ち（診断待ち）サーバに保存する。読影医は、読影室のワークステーション（ビューワ機能用に高精細モニタを備えるものである場合が多い）、前記読影待ちサーバに保存された画像から所定の患者に係る画像を抽出表示させ、読影（診断）を行う。
【特許文献１】米国特許第５，３３４，８５１号明細書
【特許文献２】特開２００２−１５９４７６号公報
【特許文献３】特開２００２−３１１５２４号公報
【発明の開示】
【発明が解決しようとする課題】
【０００７】
しかしながら、本願発明者等の調査によれば、開業医やクリニックのような比較的小規模な施設の場合は、撮影技師を置かず、撮影補助者（助手）が患者のポジショニングを行い、撮影補助者からポジショニング完了の連絡を受けて医師が撮影装置のＸ線曝射スイッチを押す場合や、患者のポジショニングを含め全ての操作を医師自身が行う場合も多い。
【０００８】
また、このような小規模施設では、大規模施設と異なって、行われる撮影も定型的なものが多く、撮影条件を誤る事態（例えば、読取信号が飽和してしまうような過剰なＸ線照射が行われたり、必要な線量に達しないＸ線照射が行われる場合）は考え難い。このため、ポジショニングさえ正しければ、画像にデジタル的な画像処理を施すことにより当該画像を診断に使用可能である場合がほとんどである。
【０００９】
そこで、早期にポジショニングの適否を判断して、再撮影を行うか否かを決定することができれば、撮影効率を高めるとともに、患者が再撮影のために施設内を移動する手間を省くことができる。しかし、大規模施設に対応した従来の方式では、画像データがコンソールに送信されてからポジショニングの確認が行われるため、撮影者（撮影技師又は医師）は、画像データの送信先に撮影におけるポジショニングの適否を確認に行かなければならず、また、患者は撮影が不適なものであった場合には再度撮影を行うために撮影室に戻らなければならず、無駄な労力を要し、撮影効率が悪いとの問題があった。
【００１０】
そこで、本発明は以上のような課題を解決するためになされたものであり、早期にポジショニングの適否を確認して効率よく患者の撮影を行うことのできる読取装置及び診断システムを提供することを目的とする。
【課題を解決するための手段】
【００１１】
上記課題を解決するため、請求項１に記載の読取装置は、患者に対して放射線画像撮影を行うことにより放射線画像情報が記録された輝尽性蛍光体プレートから前記放射線画像情報を読み取って撮影画像データを生成する読取装置であって、
前記輝尽性蛍光体プレートに記録された前記患者の前記放射線画像情報を読み取り撮影画像データを生成する画像生成手段と、
前記画像生成手段により生成された前記撮影画像データに基づき縮小画像データを生成する縮小画像生成手段と、
前記縮小画像生成手段により生成された縮小画像データに基づき縮小画像を表示する表示手段と、を備えることを特徴とする。
【００１２】
また請求項２に記載の診断システムは、表示手段を有し放射線画像情報を読み取って撮影画像データを生成する請求項１に記載の読取装置と、制御装置とを備える診断システムであって、
前記読取装置は、
前記撮影画像データを前記制御装置に対して送信する送信指示を入力する送信指示入力手段と、
前記送信指示入力手段からの送信指示に従って前記撮影画像データを前記制御装置に対して送信する送信手段と、を備え、
前記制御装置は、
前記送信手段によって送信された前記撮影画像データを受信する受信手段と、
前記受信手段により受信した前記撮影画像データと当該撮影画像データに対応する前記患者に関する患者情報とを対応付ける対応付け手段と、を備えることを特徴とする。
【００１３】
請求項３に記載の発明は、請求項２に記載の診断システムにおいて、前記読取装置の前記表示手段には、タッチパネルが重畳され、
前記送信指示入力手段は、前記表示手段及び前記タッチパネルにより構成されることを特徴とする。
【発明の効果】
【００１４】
請求項１に記載の発明によれば、輝尽性蛍光体プレートから放射線画像情報を読み取って撮影画像を生成する読取装置が、生成された撮影画像データに基づいて縮小画像データを生成し、生成された縮小画像を表示手段に表示するので、読取装置において、撮影者（撮影技師又は医師）が撮影対象である患者のポジショニングの適否を判断することができる。これにより、再撮影が必要か否かを早期に判断して撮影の効率化を図ることができるとの効果を奏する。
【００１５】
請求項２に記載の発明によれば、縮小画像を表示手段に表示するので、読取装置において、撮影者（撮影技師又は医師）が撮影対象である患者のポジショニングの適否を判断することができる。これにより、再撮影が必要か否かを早期に判断して撮影の効率化を図ることができる。
【００１６】
また、読取装置から制御装置に撮影画像データが送信されると、制御装置の対応付け手段によって、送信された撮影画像データと当該撮影画像データに対応する患者に関する患者情報とが対応付けられるので、予め検査オーダの発行（検査オーダ情報の入力操作）等を行わなくても撮影画像データと患者との対応付けを簡易に行うことができるとの効果を奏する。
【００１７】
請求項３に記載の発明によれば、送信指示入力手段が表示手段及びタッチパネルにより構成されているので、別途操作ボタン等を設ける必要がなく、装置構成を簡易化できるとともに、ユーザは表示手段に表示された内容を見ながら操作することができるため操作性を向上させることができるとの効果を奏する。
【発明を実施するための最良の形態】
【００１８】
以下、図１から図８を参照しながら本発明に係る診断システムの一実施形態について説明する。ただし、本発明は図示例のものに限定されるものではない。
【００１９】
図１は、本実施形態における診断システム１のシステム構成を示すものであり、図２は、診断システム１を適用した場合の各装置の医療施設における配置例を示すものである。
【００２０】
診断システム１は、開業医やクリニック等の比較的小規模の医療施設に適用されるシステムであり、図１に示すように、撮影画像の画像データ（撮影画像データ）を生成する画像生成装置２である超音波診断装置２ａ、内視鏡装置２ｂ、ＣＲ（Computed Radiography）装置２ｃと、制御手段である制御装置３と、サーバ４と、レセプト用コンピュータ（以下、「レセコン」と称する。）５とから構成されており、各装置は、例えば図示しないスイッチングハブ等を介してＬＡＮ（Local Area Network）等の通信ネットワーク（以下単に「ネットワーク」という。）７に接続されている。なお、診断システム１における各装置の台数は特に限定されないが、システム全体の制御を一箇所に集約して操作者の移動の手間を省くとの観点から、制御装置３は診断システム１内に１つのみ設けられることが好ましい。
【００２１】
病院内の通信方式としては、一般的に、ＤＩＣＯＭ（Digital Image and Communications in Medicine）規格が用いられており、ＬＡＮ接続された各装置間の通信では、ＤＩＣＯＭ  ＭＷＭ(Modality Worklist Management)やＤＩＣＯＭ  ＭＰＰＳ（Modality Performed Procedure Step）が用いられる。なお、本実施形態に適用可能な通信方式はこれに限定されない。
【００２２】
例えば、開業医やクリニック等のような小規模の医療施設においては、各装置は図２に示すように配置される。
【００２３】
すなわち、まず入口１０を入ると患者の受付けを行う受付１１と待合室１２がある。受付１１には、窓口担当が配置され、来院した患者が受付１１で受付けを行うことにより、当該窓口担当から受付順の受付番号が患者に付与される。このとき、例えば図示しない発券装置等により受付番号が印刷された受付番号札（受付票、又は診察券）等が発行されるようにしてもよい。受付１１には、保険点数計算、会計計算を行うレセプト用のコンピュータであるレセコン５が設置されている。前記窓口担当は、例えば、患者が受付けを行う際に患者の氏名を聞き取り、レセコン５を介して受付番号と患者氏名との対応付けを入力する。さらに、窓口担当は、患者の診察終了後にカルテ情報に基づいてレセコン５に保険点数計算に関する情報（以下「レセプト関連情報」と称する。）の必要事項を入力する作業も行う。
【００２４】
待合室１２の隣には、ドア等を隔てて医師が患者の診察、診断等を行う診察室１３が設けられている。例えば診察室１３内の診察用のデスク（図示せず）の上には、医師が患者の情報（患者氏名、生年月日等の患者情報）等の入力を行ったり、撮影した画像をビューワ表示させて確認することのできる制御装置３と、撮影画像データ等、各種の情報を蓄積する保存手段としてのサーバ４が配置されている。診察室１３内にはまた、プライバシー等の観点から隔離された空間で行う必要性の低い超音波診断装置２ａが設置されている。
【００２５】
また、廊下１４を隔てて診察室１３の向かい側にはＸ線撮影を行うＸ線撮影室１５が設けられている。Ｘ線撮影室１５内には、撮影装置２２と読取装置２３とから構成されるＣＲ装置２ｃが配設されている。さらに、Ｘ線撮影室１５の隣には検査室１６が設けられており、検査室１６内には内視鏡装置２ｂが配設されている。
【００２６】
このように、本実施形態において、受付１１のある待合室１２、診察室１３、Ｘ線撮影室１５、検査室１６は、同じフロアに位置しており、診察や撮影、検査を受ける患者は、受付けをして、診察室に移動し、医師による問診を受け、撮影室や検査室に移動し、医師により指示された撮影・検査を行って、再度、診察室に戻り、生成された撮影画像に基づき、医師の診察、診断を受けるまでの一連の動作を各室内及び廊下１４という比較的短い距離を移動するだけで行うことができるようになっている。なお、各部屋及び各装置の配置は、図２に示したものに限定されない。
【００２７】
以下、本実施形態における診断システム１について詳述する。
まず、各装置の構成について説明する。
画像生成装置２は、例えば、超音波診断装置２ａ、内視鏡装置２ｂ、ＣＲ装置２ｃ等の、患者の診断対象部位を被写体として撮影を行い、撮影した画像をデジタル変換して撮影画像の画像データ（撮影画像データ）を生成するモダリティである。
【００２８】
超音波診断装置２ａは、超音波を出力する超音波プローブと、超音波プローブに接続され、超音波プローブで受信された音波（エコー信号）を内部組織の撮影画像の画像データに変換する電子装置とから構成されている（いずれも図示せず）。超音波診断装置２ａは、超音波プローブから体内に超音波を送り、体内組織に反射した音波（エコー信号）を再び超音波プローブで受信して、このエコー信号に応じた撮影画像データを電子装置によって生成するようになっている。
【００２９】
超音波診断装置２ａには、アナログ信号からデジタル信号への変換等を行う変換手段（コンバータ）である変換装置２１が接続されており、超音波診断装置２ａは、変換装置２１を介してネットワーク７に接続されている。このように変換装置２１を介することにより、ネットワーク７に接続された他の外部機器の規格等に合わない形式のデータが超音波診断装置２ａから出力される場合でも適宜変換してネットワーク７に接続された外部機器との間でデータの送受信を行うことができる。
【００３０】
変換装置２１には、例えば、テンキー、キーボード、タッチパネル等で構成される入力部と、例えば、ＣＲＴ（Cathode Ray Tube）やＬＣＤ（Liquid Crystal Display）等のモニタで構成される表示部（いずれも図示せず）とを備える入力操作部２１ａが設けられている。入力操作部２１ａは、撮影対象である検査対象（患者）と対応付けられて設定された検索用ＩＤを入力し撮影された撮影画像の画像データに付帯させる情報付帯手段であるとともに、患者リストを表示させる表示手段として機能する。
【００３１】
例えば、受付１１で付与された受付番号が「０１」である患者を撮影する場合には、患者が持参した診察券とレセコン５で生成され、表示された患者リストとを見比べ患者氏名を確認後、入力操作部２１ａから、患者に対応する検索用ＩＤとして「０１」を入力する。
開業医等においては、通常、１日あたりの来院数は１０〜４０人程度であり、診察券の通し番号は２桁あれば充分で、入力操作部２１ａの入力部はこの２桁の数値が入力できればよく、安価なテンキーが好ましい。入力操作部２１ａの構成はここに示したものに限定されず、例えば、カードを差し込むことでカードに書き込まれた情報を読み取るカードリーダや、バーコードを読み取るバーコードリーダのような入力部を備えるものでもよい。
なお、他の画像生成装置２の場合も、同様に、前記端末装置２４や後述する情報付帯手段等に表示される患者リストに基づいて患者確認を行い、検索用ＩＤを入力することとなる。
【００３２】
なお、入力操作部２１ａから入力され撮影画像に付帯される情報は、検索用ＩＤに限定されない。患者の氏名等、患者を識別する各種情報を入力操作部２１ａから入力するようにしてもよい。当該撮影を行った画像生成装置２に付与されている識別番号や当該撮影が造影剤等を用いない単純撮影か、造影剤を用いた撮影か等の撮影の種類を特定する情報等を入力するようにしてもよい。入力された検索用ＩＤその他の情報はヘッダ情報等の付帯情報として撮影画像の画像データに付帯され、画像データが外部機器に送信されるときにはこれらの情報も画像データと対応付けられて送信される。
また、入力操作部から検索用ＩＤが入力された時、予め各画像生成装置２に付与されている識別番号（ＩＰアドレス）や装置の種別に固有の撮影の種類を特定する情報等を自動的に付帯させる構成としてもよい。
【００３３】
内視鏡装置２ｂは、可撓性を有する管の先端部に小型の撮影装置が設けられたものであり（いずれも図示せず）、撮影装置は例えば光学レンズ等で構成される対物光学系と、対物光学系の結像位置に配置された撮像部と、ＬＥＤ（Light Emitting Diode）等で構成され撮像を行うために必要な照明を行う照明部とを備えている（いずれも図示せず）。撮像部は、例えばＣＣＤ（Charge Coupled Device）、ＣＭＯＳ（Complementary Metal-Oxide Semiconductor）等の固体撮像素子を備え、光が入射すると光の入射光量に応じた量の電気的な信号へと光電変換する。対物光学系は、照明部により照明された領域を光学レンズで集光し、撮像部が有する固体撮像素子に結像するように構成されており、固体撮像素子に入射した光が光電変換されることにより、電気信号として撮影画像の画像データが出力されるようになっている。
【００３４】
ＣＲ装置２ｃを構成する撮影装置２２は、図示しない放射線源を有し、検査対象である患者（図示せず）に対して放射線を照射して放射線画像撮影を行う。撮影時には前記放射線源から照射される放射線の照射領域内に、例えば放射線エネルギーを蓄積する輝尽性蛍光体層を備える輝尽性蛍光体プレートが内蔵されたカセッテ（いずれも図示せず）が配置されるようになっており、放射線源からの照射放射線量に対する検査対象（患者）の撮影対象部位の放射線透過率分布に従った放射線量がカセッテに内設された輝尽性蛍光体プレートの輝尽性蛍光体層に蓄積し、この輝尽性蛍光体層に検査対象の放射線画像情報を記録する。
【００３５】
読取装置２３は、図３に示すように、検査対象（患者）の放射線画像情報が記録された輝尽性蛍光体プレートを内設するカセッテを挿入、装填する挿入口２３０を備え、挿入口２３０にカセッテが挿入されると、図示しない取出搬送機構によってカセッテ内から輝尽性蛍光体プレートを取り出して、輝尽性蛍光体プレートから検査対象の放射線画像情報を読み取り撮影画像の画像データ（撮影画像データ）を生成する画像生成手段である。
【００３６】
図４に読取装置２３の機能的構成を示すブロック図を示す。図４に示すように、読取装置２３は、ＣＰＵ（Central Processing Unit）２３１、ＲＡＭ（Random Access Memory）２３２、記憶部２３３、画像生成部２３４、操作表示部２３５、通信部２３６等を備えて構成され、各部はバス２３７により接続されている。
【００３７】
ＣＰＵ２３１は、記憶部２３３に記憶されているシステムプログラムや処理プログラム等の各種プログラムを読み出してＲＡＭ２３２に展開し、展開されたプログラムに従って後述する画像生成部２３４を制御して放射線画像情報を読み取り撮影画像を生成する画像生成処理を行わせ、また、各種プログラムと協働して生成された撮影画像に基づいて縮小画像を生成する画像処理をはじめとする各種処理を実行するようになっている。
【００３８】
ＲＡＭ２３２は、ＣＰＵ２３１により実行制御される各種処理において、記憶部２３３から読み出されたＣＰＵ２３１で実行可能な各種プログラム、入力若しくは出力データ、パラメータ等を一時的に記憶するワークエリアを形成する。
【００３９】
記憶部２３３は、ＨＤＤ（Hard Disc）や半導体の不揮発性メモリ等により構成される。記憶部２３３には、前述のようにＣＰＵ２３１で実行される画像生成処理、データ縮小処理等、各種処理を行うための各種プログラムや各種データ等が記憶されている。
【００４０】
画像生成部２３４は、例えばガスレーザ、固体レーザ又は半導体レーザ等の励起光を放射線画像情報が記録された輝尽性蛍光体プレートに対して照射する励起光源（図示せず）、及び励起光源から励起光が照射されることによって発生した輝尽性発光による光を検出するフォトマルチプライヤ（図示せず）等を備えて構成される画像生成手段である。画像生成部２３４は、前記制御装置３からの読み取りサンプリングピッチ指示信号等の制御信号に基づいて励起光源から照射された励起光によって輝尽性蛍光体プレートから発生する輝尽性発光光をフォトマルチプライヤによって光電変換し、画像信号化する。さらに、画像生成部２３４は、得られた画像信号をＡ／Ｄ変換し、これにより、輝尽性蛍光体プレートに記録された放射線画像情報に基づく撮影画像を生成するようになっている。
なお、本実施形態においては、輝尽性蛍光体プレートを収容した持ち運び可能なカセッテを用いるカセッテタイプのＣＲ装置２ｃを例として説明したが、ＣＲ装置２ｃはこれに限定されない。ＣＲ装置２ｃは撮影装置２２と読取装置２３とが一体化し撮影から読取までを１台で行う一体型の装置であってもよい。
【００４１】
画像生成部２３４によって撮影画像が生成されると、ＣＰＵ２３１は、前述のように、記憶部２３３に記憶されたデータ縮小処理プログラムとの協働によるソフトウエア処理により、撮影画像の画像データに基づいてデータを縮小した縮小画像データ（撮影画像の画像データよりも情報量の少ない画像データ）を生成するデータ縮小処理を行う縮小処理手段として機能するようになっている。
【００４２】
具体的には、例えば、撮影画像の画像データのサンプリングピッチが１００μｍである場合に、縦、横をそれぞれ１／１６にするデータ縮小処理を施すことによりサンプリングピッチ１．６ｍｍ程度の縮小画像データを生成する。データ縮小処理を行う縮小処理アルゴリズムは、特に限定されず、近傍の画素値の平均をとる、一定画素間隔で間引く等、どのような手法を用いるものでもよい。なお、撮影画像をどの程度縮小して縮小画像データを生成するかは、特に限定しないが、縮小画像データは、後述する操作表示部２３５の表示部２３５ａに表示させた際に撮影が適切に行われたか否か、特に撮影対象である患者のポジショニングの適否を判断可能な程度の画像である必要があり、またその程度で足りる。例えば、縮小画像データは、表示部２３５ａに表示させた際に撮影された対象の輪郭が確認できる程度のものであればよい。
【００４３】
操作表示部２３５は、例えば、ＣＲＴ（Cathode Ray Tube）やＬＣＤ（Liquid Crystal Display）等からなる表示画面を備える表示手段である表示部２３５ａと、前記表示画面上を覆うように形成されたタッチパネル２３５ｂと、を備えており、この表示部２３５ａとタッチパネル２３５ｂとが一体に構成されるタッチスクリーンである。
【００４４】
表示部２３５ａは、ＣＰＵ２３１から入力される表示信号の指示に従って、表示画面上に、縮小画像データの基づく縮小画像や各種選択画面、指示画面等を表示する。例えば、前述のようにＣＰＵ２３１により縮小画像データが生成されたときは、図５に示すように表示部２３５ａに縮小画像データに基づく縮小画像が表示される。また、表示部２３５ａには、例えばＯＫボタン、ＮＧボタン等の操作ボタンが表示され、操作者が当該縮小画像を確認した結果適切なポジショニングであればＯＫボタンを操作することにより当該縮小画像に対応する撮影画像データを制御装置３に送信する送信指示を入力することができ、撮影が不適であれば、ＮＧボタンを操作することにより再撮影指示を入力することができるようになっている。なお、表示部２３５ａに表示されるものは、ここに例示したものに限定されず、例えば患者リスト等が表示部２３５ａに表示されるようにしてもよい。
タッチパネル２３５ｂは、例えば透明電極を格子状に配置した感圧式（抵抗膜圧式）のものであり、手指やタッチペン等で押下された力点のＸＹ座標を電圧値で検出し、検出された位置信号を操作信号としてＣＰＵ２３１に出力するように構成される。
【００４５】
例えば、表示部２３５ａに撮影対象である患者の検索用ＩＤを入力する入力指示画面が表示されたときは、表示部２３５ａ上に形成されたタッチパネル２３５ｂから入力操作を行うことにより、各種入力操作を行うことができる。すなわち、例えば、前記ＯＫボタンの表示のように、表示部２３５ａには画像生成部２３４によって生成された撮影画像データを制御装置３に送信するか否かの指示を入力する画面を表示させることができ、ユーザは当該表示部２３５ａの表示画面上に形成されたタッチパネル２３５ｂを操作することにより撮影画像データの送信指示を入力することができる。この場合、操作表示部２３５は、撮影画像データの送信指示を入力する送信指示入力手段として機能する。また、表示部２３５ａの表示画面上にはテンキーボタン等が表示されるようになっており、カセッテから放射線画像情報を読み取り撮影画像データを生成する際に当該撮影画像データに当該患者の検索用ＩＤ等を付帯させる情報付帯手段として機能する。
【００４６】
また、通信部２３６は、ネットワークインターフェース等により構成され、ネットワーク７に接続された外部機器とデータの送受信を行うものであり、特に、前記操作表示部２３５からの送信指示に従って撮影画像データを制御装置３に送信する送信手段として機能する。
【００４７】
なお、図示はしないが、内視鏡装置２ｂにも超音波診断装置２ａにおける変換装置２１の入力操作部２１ａ及びＣＲ装置２ｃの読取装置２３と同様に撮影の際に画像データに検索用ＩＤ等を付帯させる内蔵又は外部接続された情報付帯手段が設けられており、生成した撮影画像の画像データに当該患者の検索用ＩＤを付帯させるようになっている。
【００４８】
なお、情報付帯手段から入力される検索用ＩＤとしては、前述の入力操作部２１ａと同様に、例えば、前記受付番号等が使用される。前述のように、開業医等においては、通常、１日あたりの来院数は１０〜４０人程度であり、診察券の通し番号は２桁あれば充分で、情報付帯手段はこの２桁の数値が入力できればよく、安価なテンキーが好ましい。
【００４９】
また、この情報付帯手段に表示部が設けられている場合には、これらの表示部が患者リストを表示させる表示手段として機能してもよい。
【００５０】
制御装置３は、例えば診察室１３に設置され、医師が画像等を表示させて読影診断等を行うためのワークステーション（ＰＣ：Personal Computer）であり、一般的なＰＣよりも高精細のモニタ（表示部）を備えるものであってもよい。制御装置３は、図６に示すように、ＣＰＵ３１、ＲＡＭ３２、記憶部３３、入力部３４、表示部３５、通信部３６等を備えて構成されており、各部はバス３７により接続されている。
【００５１】
ＣＰＵ３１は、記憶部３３に記憶されているシステムプログラムや処理プログラム等の各種プログラムを読み出してＲＡＭ３２に展開し、展開されたプログラムに従って後述する画像処理や画像処理の完了した撮影画像データと患者情報との対応付け処理をはじめとする各種処理を実行するようになっている。
【００５２】
記憶部３３は、ＨＤＤ（Hard Disc）や半導体の不揮発性メモリ等により構成される。記憶部３３には、前述のように各種プログラムが記憶されているほか、特開Ｈ１１−８５９５０や特開２００１−７６１４１の明細書中に開示されているような撮影部位を識別するための部位識別パラメータ（撮影画像に現われた撮影対象の輪郭、形状等と撮影部位とを対応付けるルックアップテーブル等）及び識別された撮影部位に応じた画像処理を行う画像処理パラメータ（階調処理に用いる階調曲線を定義したルックアップテーブル、周波数処理の強調度等）等が記憶されている。
【００５３】
また、記憶部３３には、前記各種の画像生成装置２によって生成された撮影画像の画像データが一時的に記憶されるようになっている。なお、撮影画像データに検索用ＩＤや患者情報、撮影の種類に関する情報、撮影を行った画像生成装置２を識別する情報等が付帯しているときは、撮影画像データとこれらの情報とを対応付けて記憶する。その他、記憶部３３には、患者の受付順に作成された患者リスト等、制御装置３に送られた各種情報が記憶される。
【００５４】
入力部３４は、例えば図示しないカーソルキー、数字入力キー、及び各種機能キー等を備えたキーボードと、マウス等のポインティングデバイスを備えて構成されており、撮影対象である患者を特定する患者情報である患者氏名等を入力可能となっている。入力部３４は、キーボードに対するキー操作やマウス操作により入力された指示信号をＣＰＵ３１に出力するようになっている。
【００５５】
ここで、入力部３４から入力される患者情報としては、例えば患者の氏名、診察券番号等が挙げられるが、患者情報はここに例示したものに限定されない。また、検索用ＩＤとは、前述のように撮影後に撮影画像を検索する際、検査対象を識別する識別標識となるものであり、例えば受付けを行ったときに付与される受付番号である。なお、本実施形態においては、患者情報として患者氏名を入力し、検索用ＩＤとして受付番号を入力する例について説明する。
【００５６】
表示部３５は、例えば、ＣＲＴ（Cathode Ray Tube）やＬＣＤ（Liquid Crystal Display）等のモニタを備えて構成されており、後述するように、撮影画像データの基づく撮影画像、各種の患者情報等を表示する表示手段である。表示部３５は、ＣＰＵ３１から入力される表示信号の指示に従って、各種画面を表示する。
【００５７】
本実施形態においては、例えば、医師等が画像生成装置２である超音波診断装置２ａ、内視鏡装置２ｂ、ＣＲ装置２ｃから取得した撮影画像を表示するように指示する指示信号を入力部３４から入力すると、図７に示すような画像確認画面３５ｂが表示される。
【００５８】
図７に示すように、画像確認画面３５ｂには、前記各種の画像生成装置２によって生成された撮影画像データに基づく撮影画像を表示するための画像表示欄３５１と、画像処理条件の調整指示を入力するための画像処理条件調整欄３５２とが設けられている。また、画像表示欄３５１には、画像表示欄３５１の各表示欄に対応して設けられ、各表示欄に表示された撮影画像を確定し、当該確定後の撮影画像の画像データを記憶するためのＯＫボタン３５３と、各表示欄に表示された撮影画像の画像データの破棄及び再出力を指示するためのＮＧボタン３５４と、各撮影画像について患者のどの部位を撮影したものであるかを自動部位認識した結果、判断された撮影部位を表示する撮影部位表示欄３５５とが配置されている。なお、確定後の撮影画像の画像データを保存した場合には、画像表示欄３５１の各表示欄に保存済みのマーク等が表示されるようにしてもよい。
【００５９】
また、画像確認画面３５ｂには、患者情報として患者氏名を入力、表示する患者氏名欄３５６が設けられている。なお、本実施形態においては、患者情報の入力、表示欄として患者氏名欄３５６を設けた場合を例として以下説明するが、患者情報の入力、表示欄はここに例示したものに限定されない。
【００６０】
その他、画像確認画面３５ｂには、診断を終了するための診断終了ボタン３５７や前の表示画面に戻るための戻るボタン３５８等が設けられている。なお、画像確認画面３５ｂの構成は図７に例示したものに限定されない。例えば、これら以外の表示欄やボタンが設けられていてもよく、前記患者リストに対応した受付番号を表示する欄等が設けられていてもよい。
【００６１】
通信部３６は、ネットワークインターフェース等により構成され、スイッチングハブを介してネットワーク７に接続された外部機器との間でデータの送受信を行う。即ち、通信部３６は、画像生成装置２によって生成された撮影画像の画像データを受信する受信手段であり、また、必要に応じてサーバ４等の外部装置に画像処理の完了した確定後の撮影画像の画像データを送信し出力する出力手段として機能するものである。
【００６２】
次に、ＣＰＵ３１によって行われる各種処理について説明する。
【００６３】
本実施形態において、ＣＰＵ３１は、検索用ＩＤ又は患者を区切る区切り情報に基づいて、記憶部３３に記憶された撮影画像データの中から特定の患者について撮影された撮影画像の画像データだけを抽出する画像抽出手段として機能する。すなわち、前述のように、撮影の際に当該撮影の検査対象である患者の患者情報と対応付けられて設定された検索用ＩＤが入力操作部２１ａや読取装置２３の操作表示部２３５等から入力された場合には、この検索用ＩＤは、例えば撮影画像の画像データにヘッダ情報として付帯している。医師等の操作者がある検索用ＩＤに対応する撮影画像を抽出するように指示する指示信号を入力部３４等から入力すると、ＣＰＵ３１は、記憶部３３に記憶された撮影画像のうち、当該検索用ＩＤが付帯している撮影画像を検索し抽出して表示部３５の画像確認画面３５ｂ等に表示する。
【００６４】
また、ＣＰＵ３１は、画像生成装置２によって生成され、通信部３６によって受信した撮影画像の画像データについて撮影部位に応じた画像処理を行い、診断に適した診断用の撮影画像を生成する画像処理手段として機能する。
具体的には、ＣＰＵ３１は、まず、記憶部３３から部位識別パラメータを読み出して画像生成装置２によって生成された撮影画像に現われた撮影対象の輪郭、形状等から撮影部位を識別する部位自動識別処理を行う。撮影画像の部位が識別されると、ＣＰＵ３１は、撮影部位に対応する画像処理パラメータを記憶部３３から読み出して、読み出したパラメータに基づいて画像処理条件を決定し、決定した画像処理条件で画像データに画像のコントラストを調整する階調処理、濃度を調整する処理、鮮鋭度を調整する周波数処理等の画像処理を施す。さらに、医師等の操作者が画像処理条件調整欄３５２から撮影画像の濃度やコントラスト等を調整する入力を行うと、ＣＰＵ３１は、これに応じて撮影画像の画像処理を行う。そして、画像処理が完了してＯＫボタン３５３が押下されると、ＣＰＵ３１は、画像処理後の撮影画像の画像データを診断用の撮影画像の画像データとして決定する。
【００６５】
さらに、ＣＰＵ３１は、撮影された検査対象を特定する患者情報が入力されたときは、この患者氏名等の患者情報を検索用ＩＤと置き換え、当該患者情報を所定の画像処理後の撮影画像データとを対応付ける対応付け処理を行い、当該撮影画像データと患者情報とを対応付けて記憶する対応付け手段として機能する。ＣＰＵ３１は、患者情報と対応付けられた撮影画像データを記憶部３３又はサーバ４の画像ＤＢ４１に書込み、記憶させる。
【００６６】
また、ＣＰＵ３１は、レセコン５に対して後述するレセプトＤＢ６に記憶されているレセプト関連情報の中から、所定の患者に関する情報を送るよう、指示信号を送信するようにしてもよい。そして、レセコン５から抽出されたレセプト関連情報が送られたときは、当該レセプト関連情報と同じ患者情報が対応付けられた撮影画像データとを対応付ける。このように患者情報、レセプト関連情報及び撮影画像データが相互に対応付けられたときは、ＣＰＵ３１は、相互に対応付けられた患者情報、レセプト関連情報及び撮影画像データを画像ＤＢ４１に書込み、記憶させるようにする。
【００６７】
図１に戻り、サーバ４は、ＣＰＵ、ＲＡＭ、ＨＤＤ等により構成される記憶部、ネットワーク７に接続された各装置との通信を制御する通信部（いずれも図示せず）等を備えて構成されたコンピュータである。サーバ４は、画像ＤＢ４１を備えておりＣＰＵと記憶部に記憶されたプログラムとの協働によるソフトウエア処理により、通信部を介して制御装置３から書込み指示された撮影画像の画像データ及びその付帯情報（患者情報を含む情報）を対応付けて画像記憶手段としての画像ＤＢ４１に格納するとともに、制御装置３からの要求に応じて画像ＤＢ４１を検索して要求に応じた画像データ及びその付帯情報を読み出し、制御装置３に送信する。
【００６８】
また、レセコン５は、来院した患者の受付登録、会計計算、保険点数計算等を行うためのコンピュータ装置である。レセコン５は、ＣＰＵ、ＲＡＭ、記憶部、入力部、表示部、通信部（いずれも図示せず）、及びレセプトＤＢ６等を備えて構成されるコンピュータであり、各部はバスを介して接続されている。
【００６９】
ＣＰＵは、記憶部に記憶されているシステムプログラムや処理プログラム等の各種プログラムを読み出してＲＡＭに展開し、展開されたプログラムに従って各種処理を実行し、例えば受付登録手段、リスト生成手段、レセプト情報生成手段として機能する。
【００７０】
記憶部は、ＨＤＤ（Hard Disc）や半導体の不揮発性メモリ等により構成され、ＣＰＵで実行されるシステムプログラム、各種処理プログラム、各種データ等を記憶する。
【００７１】
入力部は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号としてＣＰＵに出力する。
【００７２】
表示部は、例えば、ＣＲＴやＬＣＤ等のモニタを備えて構成されており、ＣＰＵから入力される表示信号の指示に従って、各種画面を表示する。
【００７３】
通信部は、ネットワークインターフェース等により構成され、スイッチングハブを介してネットワークに接続された外部機器との間でデータの送受信を行う。
【００７４】
レセプトＤＢ６は、来院した患者に関するレセプト関連情報を患者情報と対応付けて格納するデータベースである。図８に、レセプトＤＢ６のデータ格納例を示す。レセプトＤＢ６は、来院した各患者のレセプト関連情報を格納するデータベースであり、図８に示すように、患者の受付日付を格納する「受付日付」項目、患者に付与した受付番号を格納する「受付番号」項目、患者情報（ここでは、患者氏名とする）を格納する「患者情報」項目、受付日付において当該患者に撮影された画像の枚数を格納する「撮影数」項目、造影剤を用いた撮影枚数を格納する「造影数」項目、撮影を行った画像生成装置２の種類を格納する「モダリティ」項目、撮影部位の情報を格納する「部位」項目、「受付日付において患者に処方された薬剤の情報を格納する「投薬」項目、受付日付において医師が診断した傷病名を格納する「傷病名」項目、後述する制御装置３から入力されたコメントを格納する「コメント」項目、算出された保険点数を格納する「保険点数」項目等を有している。
【００７５】
次に、本実施形態における読取装置２３を備える診断システム１の動作について説明する。
【００７６】
まず、受付１１において来院した患者に対して受付番号が付与され、受付番号札が発行される。窓口担当が患者氏名の聞き取りを行い、レセコン５の図示しない受付入力画面を介して入力部から検索用ＩＤである受付番号及び患者情報である患者氏名の入力を行う。受付番号及び患者氏名の入力が行われると、レセプトＤＢ６に新規レコードが追加され、受付番号及び患者情報が書込まれる。
【００７７】
受付番号が付与された患者が診察室１３に移動すると、医師は、患者に対し問診を行い、実施する撮影、検査を決定する。問診により患部の撮影が必要であると決定された場合には、医師や撮影技師等、撮影を行う撮影実施者は、患者を撮影に用いる画像生成装置２のもとに連れて行き、画像生成装置２の入力操作部から当該患者に付与された受付番号（検索用ＩＤ）の入力を行う。例えば、画像生成装置２として超音波診断装置２ａを用いる場合には撮影実施者は入力操作部２１ａから、また画像生成装置２としてＣＲ装置２ｃを用いる場合には読取装置２３の操作表示部２３５から、検索用ＩＤとして患者の受付番号を入力し、画像生成装置２の画像生成動作が可能となるように準備を行う。
【００７８】
その後、当該患者の診断対象部位を被写体として撮影を行い、画像生成装置２により撮影画像の画像データが生成される。なお、前述のように予めその日に検査予約をしていた場合には、医師による問診を受けずに受付から直接撮影室１５又は検査室１６に移動してもよい。
【００７９】
例えば、ＣＲ装置２ｃによって撮影が行われ、読取装置２３により撮影画像データが生成されると、読取装置２３のＣＰＵ２３１は、データ縮小処理を行う縮小処理手段として撮影画像の画像データに基づいて撮影画像データよりも情報量の少ない縮小画像データを生成する。そして、ＣＰＵ２３１は、表示部２３５ａの表示画面に縮小画像データに基づく縮小画像を表示させる。撮影者（撮影技師又は医師）は、表示部２３８の表示を確認することにより撮影の適否、特に患者のポジショニングの適否等を判断することができ、撮影が適切なポジショニングで行われている場合には、撮影者は撮影画像データを制御装置３に送信する送信指示を入力する。
【００８０】
なお、ある患者を選択した後、別の患者をさらに選択してもよい。この場合には、選択された患者を順次又は各画像生成装置２を用いて同時並行的に撮影する。この場合でも、画像生成装置２での撮影時に、患者ごとに患者を識別する情報として検索用ＩＤが入力されるので、画像データに付帯された検索用ＩＤと照合することにより、撮影後に患者と画像データとの対応付けを行うことが可能である。
【００８１】
撮影が終了し、入力操作部２１ａ又は読取装置２３の操作表示部２３５等から撮影画像データを制御装置３に送信するように送信指示が入力されると、生成された撮影画像データが、入力された検索用ＩＤ等の患者を識別する情報が付帯された状態でネットワーク７を介して制御装置３に送られる。なお、緊急時等、受付を経由していない患者を撮影する場合には、予め緊急割込みを示す所定のコード、例えば、「９９」のように、普段の撮影時には現われないような番号を区切り情報として設定しておくことにより、通常のフローと同様に撮影後の画像データを他の画像データと区別して抽出することが可能となる。
【００８２】
画像生成装置２から撮影画像の画像データが制御装置３に送られると、ＣＰＵ３１は撮影を行った部位を自動的に識別する。そして、撮影部位を識別すると、ＣＰＵ３１は当該撮影部位に応じた画像処理条件を決定し、撮影画像の画像データについて当該条件に応じた画像処理を行う。画像処理が行われると、撮影画像は画像データに付帯する各種の情報とともに一旦、記憶部３３に記憶される。
【００８３】
撮影又は検査後に医師が患者を診察する際には、医師は制御装置３の入力部３４を操作することにより表示部３５に図示しない画像検索画面を表示させ、患者の受付番号（検索用ＩＤ）を確認して患者の受付番号を入力部３４から入力する。検索用ＩＤである受付番号を入力すると、ＣＰＵ３１は当該受付番号を検索キーとして、当該患者に対応する画像を記憶部３３から抽出し、抽出された撮影画像は表示部３５の画像確認画面３５ｂ（図７参照）に一覧表示される。医師は患者の氏名を聴取して患者情報である患者氏名を患者情報入力欄３５６から入力する。患者情報入力欄３５６を介して入力部３４から当該患者に関する患者情報の入力が行われると、表示されている撮影画像の画像データの付帯情報として当該入力された患者情報が書込まれる。
【００８４】
医師は、画像確認画面３５ｂで撮影画像の画像データを確認し、問題がなければＯＫボタン３５３により当該撮影画像を診断用の撮影画像として確定させる。他方、撮影画像の画像処理に問題がある場合には、医師等の操作者は、画像処理条件調整欄３５２で撮影画像の濃度やコントラスト等の調整を行う。なお、撮影部位に応じた画像処理が適切に行われなかった場合には、画像処理条件調整欄３５２で行った撮影画像の濃度やコントラスト等の調整を画像処理パラメータに反映させてパラメータの補正を行うようにしてもよい。また、各表示欄に表示された撮影画像が不鮮明である等、濃度やコントラスト等の調整のみでは調整できない場合には、撮影画像の画像データの破棄及び再出力を指示するためのＮＧボタン３５４を操作して当該撮影画像の画像データを破棄し画像生成装置２から画像データを再出力させる。
【００８５】
医師は撮影画像の確定後、当該撮影画像を見ながら診断を行い、患者に関する所見（診断された傷病命名等）、当該患者に処方する薬剤を示す投薬情報、当該患者に行った撮影や検査等に関する情報（撮影を行った装置の種類、撮影枚数、造影剤使用の有無、撮影部位、撮影方向、検査種別、検査ＩＤ等）を紙カルテに記録する。医師は紙カルテ等に診断所見を記入するとともに、入力された当該患者情報と対応付けて（当該患者情報を付帯情報として）当日撮影された撮影画像の画像データをサーバ４の画像ＤＢ４１等の記憶手段に記憶する。
【００８６】
医師は紙カルテへの所見記載後、当該紙カルテを受付１１の窓口担当に渡し、この窓口担当は、レセコン５の表示部に検査情報入力画面を表示させ、当該検査情報入力画面を介して入力部から当該紙カルテに基づいて保険点数請求処理用のレセプト関連情報を入力する。レセコン５のＣＰＵは、当該患者について行われた撮影の撮影枚数、単純Ｘ線撮影か造影剤撮影かというような撮影の種類、撮影を行った画像生成装置２の種類等、撮影画像の画像データに付帯されている情報に基づいて保険点数等の計算に関わる会計関連情報の算出を行う。入力されたレセプト関連情報及び算出された保険点数等は患者情報である患者氏名と対応付けられてレセプトＤＢ６に書込まれ、記憶される。
【００８７】
以上のように、本実施形態に係る診断システム１によれば、縮小画像をＸ線撮影室１５に設置された読取装置２３の表示部２３５ａに表示するので、撮影者はＸ線撮影室１５から移動することなく読取装置２３において撮影対象である患者のポジショニングの適否を判断することができる。これにより、再撮影が必要か否かを早期に判断して撮影の効率化を図ることができる。この実施形態は、医師が診察室１３に常駐し、補助者がＸ線撮影室１５に常駐する一般的な診療所のワークフローにおいて特に有効である。
【００８８】
また、撮影画像データと当該撮影画像データに対応する患者に関する患者情報と制御装置３の対応付け手段によって対応付けるので、予め撮影オーダ情報等の入力を行わなくても撮影画像と患者との対応付けを簡易に行うことができる。
【００８９】
さらに、表示部２３５ａとタッチパネル２３５ｂとが一体的に構成されたタッチスクリーンである操作表示部２３５が、表示手段と送信指示入力手段とを兼ねるようになっているので、別途操作ボタン等を設ける必要がなく、装置構成を簡易化できるとともに、ユーザは表示手段に表示された内容を見ながら操作することができるため操作性を向上させることができる。
【００９０】
なお、本実施形態においては、患者の患者情報をレセコン５の入力部から入力し、撮影時に患者情報に対応する検索用ＩＤを撮影画像の画像データに付帯させることにより患者と撮影画像とを対応付けるように構成したが、患者と撮影画像とを対応付ける構成はこれに限定されない。
【００９１】
たとえば、撮影前には、患者リストの中から患者を選択することにより受付番号等、各患者に割り当てられた検索用ＩＤを設定するに止め、患者氏名等の患者情報は、撮影後、制御装置３の表示部３５で当該患者に対応する撮影画像を見ながら患者の診断を行う際に入力するようにしてもよい。
【００９２】
さらに、施設内に医師と補助者が１名ずつしかおらず、患者を１人ずつ撮影、診断するような使用環境である場合には、患者リスト確認画面３５ａにおいて１人の患者を選択すると表示部３５が自動的に画像確認画面３５ｂに切り替わり、撮影が行われると、画像生成装置２で生成された撮影画像が当該選択された画像確認画面３５ｂ上に表示されるようにしてもよい。この場合には、複数の患者を同時並行的に撮影することがなく、患者リストの中から選択された患者と撮影された患者とが１対１で対応し患者と撮影画像とを取り違える危険がない。このため、撮影前に患者情報等を入力したり撮影後に患者の検索用ＩＤを入力する必要がなく、入力操作を最小限に抑えて医師等の負担を軽減することができる。また、このようなシステムとした場合には、画像生成装置２に入力操作部を備えないシステム構成とすることも可能である。
【００９３】
また、本実施形態においては、画像生成装置２として超音波診断装置２ａ、内視鏡装置２ｂ、ＣＲ装置２ｃを備える場合を例として説明したが、画像生成装置２は、検査対象である患者を撮影し、撮影により得られた画像データに基づいて撮影画像を生成する画像生成手段を備える装置であればよく、ここに例示したものに限定されない。他の放射線画像変換媒体を使用するもの、放射線画像変換媒体を使用せずに画像データを取得しこれに基づいた撮影画像を生成するもの、放射線ディテクタを用いて放射線画像をデジタル信号として直接取り出すもの等、撮影画像を生成する任意の装置を適用することができる。具体的には、本実施形態に示した超音波診断装置２ａ、内視鏡装置２ｂ、ＣＲ装置２ｃの他、例えば、ＣＴ（Computed Tomografhy）、ＭＲＴ（Magnetic Resonance Imaging）、ＦＰＤ（Flat Panel Detector）、乳房撮影装置（マンモグラフィ）等が挙げられるが、これに限定されない。
【００９４】
また、本実施形態においては、確定後の撮影画像データ及びこれと対応付けられた患者情報をサーバ４に保存するものとしたが、撮影画像データ及びこれと対応付けられた患者情報を保存する保存手段はこれに限定されず、例えば、制御装置３の記憶部３３を撮影画像データ及びこれと対応付けられた患者情報を保存する保存手段とする構成としてもよい。
【００９５】
なお、本実施形態においては、表示部２３５ａとタッチパネル２３５ｂとが一体的に構成されたタッチスクリーンである操作表示部２３５が、表示手段と送信指示入力手段とを兼ねるように構成したが、表示手段及び送信指示入力手段の構成はこれに限定されない。例えば、ＣＲＴ（Cathode Ray Tube）やＬＣＤ（Liquid Crystal Display）等から構成される表示部と、カーソルキー、数字入力キー、及び各種機能キー等を備えたキーボードや、マウス等のポインティングデバイス等から構成される入力部とを別個に備える構成としてもよい。また、本実施形態に示したようなタッチスクリーンである操作表示部の他に、キーボードや、ポインティングデバイス等から構成される入力部を備える構成とし、この入力部が送信指示入力手段として機能するようにしてもよい。
【００９６】
その他、本発明が本実施の形態に限定されず、適宜変更可能であることはいうまでもない。
【図面の簡単な説明】
【００９７】
【図１】本発明に係る診断システムの一実施形態のシステム構成を示す図である。
【図２】図１に示す診断システムを適用した場合の各装置の医療施設における配置例を示す図である。
【図３】図１に示す診断システムに適用される読取装置の概略構成を示す斜視図である。
【図４】図３に示す読取装置の概略構成を示す要部ブロック図である。
【図５】図３に示す読取装置の操作表示部の一表示例を示す図である。
【図６】図１に示す診断システムに適用される制御装置の概略構成を示す要部ブロック図である。
【図７】図１に示す診断システムにおける画像確認画面の一例を示す図である。
【図８】図１に示すレセプトＤＢのデータ格納例を示す図である。
【符号の説明】
【００９８】
１  診断システム
２  画像生成装置
２ａ  超音波診断装置
２ｂ  内視鏡装置
２ｃ  ＣＲ装置
３  制御装置
４  サーバ
５  レセコン
６  レセプトＤＢ
７  ネットワーク
２１  変換装置
２３  読取装置
３１  ＣＰＵ
３２  ＲＡＭ
３３  記憶部
３４  入力部
３５  表示部
３５ｂ  画像確認画面
３６  通信部
【図１】
2007281787.tif 000003
【図２】
2007281787.tif 000004
【図３】
2007281787.tif 000005
【図４】
2007281787.tif 000006
【図５】
2007281787.tif 000007
【図６】
2007281787.tif 000008
【図７】
2007281787.tif 000009
【図８】
2007281787.tif 000010